(57)【要約】    【課題】  ストロボを使用した撮影時に異常が発生した場合に記録媒体のメモリ領域の無駄な使用を防止するようにする。    【解決手段】  被写体画像の画像データを記録媒体２００に電子的に記録するとともに、被写体へ向けて閃光を発光可能な内臓ストロボ４６または外部ストロボ１００が接続された電子カメラ１において、システム制御回路５０が、内臓ストロボ４６または外部ストロボ１００による閃光発光によって撮影を行った時の撮影異常を検出し、該撮影異常が検出された場合には、異常撮影の画像データを記録媒体２００に記録させないようにする。【選択図】      図１
2005142828.tif 000002
【特許請求の範囲】
【請求項１】
被写体画像の画像データを記録装置に電子的に記録するとともに、被写体へ向けて閃光を発光可能な閃光装置を内蔵または外部接続された撮像装置において、
前記閃光装置による閃光発光によって撮影を行った時の撮影異常を検出する異常検出手段と、
前記異常検出手段により撮影異常が検出された場合には、異常撮影の画像データを前記記録装置に記録させないようにする制御手段と
を有することを特徴とする撮像装置。
【請求項２】
被写体画像の画像データを記録装置に電子的に記録するとともに、被写体へ向けて閃光を発光可能な閃光装置を内蔵または外部接続された撮像装置において、
前記閃光装置による閃光発光によって撮影を行った時の撮影異常を検出する異常検出手段と、
画像データを前記記録装置に記録するか否かについての撮影者の指示を受け取る受取手段と、
前記異常検出手段により撮影異常が検出された場合には、前記受取手段によって受け取っている撮影者の指示に応じて、異常撮影の画像データを前記記録装置に記録させる、または記録させないようにする制御手段と
を有することを特徴とする撮像装置。
【請求項３】
前記制御手段は、異常撮影の画像データを前記記録装置に記録させない場合、該異常撮影の画像データに対する画像処理および／または画像表示処理を行わせないことを特徴とする請求項１または請求項２記載の撮像装置。
【請求項４】
前記異常検出手段は、前記閃光装置によって閃光発光が行われなかった異常を検出することを特徴とする請求項１または請求項２記載の撮像装置。
【請求項５】
前記異常検出手段は、前記閃光装置による閃光発光の光量調節の異常を検出することを特徴とする請求項１または請求項２記載の撮像装置。
【請求項６】
前記異常検出手段は、前記閃光装置による閃光発光の下で得られた画像データにおける露出量の異常を検出することを特徴とする請求項１または請求項２記載の撮像装置。
【請求項７】
被写体画像の画像データを記録装置に電子的に記録するとともに、被写体へ向けて閃光を発光可能な閃光装置を内蔵または外部接続された撮像装置に適用される異常時対処方法において、
前記閃光装置による閃光発光によって撮影を行った時の撮影異常を検出する異常検出ステップと、
前記異常検出ステップにより撮影異常が検出された場合には、異常撮影の画像データを前記記録装置に記録させないようにする制御ステップと
を有することを特徴とする異常時対処方法。
【請求項８】
被写体画像の画像データを記録装置に電子的に記録するとともに、被写体へ向けて閃光を発光可能な閃光装置を内蔵または外部接続された撮像装置に適用される異常時対処方法において、
前記閃光装置による閃光発光によって撮影を行った時の撮影異常を検出する異常検出ステップと、
画像データを前記記録装置に記録するか否かについての撮影者の指示を受け取る受取ステップと、
前記異常検出ステップにより撮影異常が検出された場合には、前記受取ステップによって受け取っている撮影者の指示に応じて、異常撮影の画像データを前記記録装置に記録させる、または記録させないようにする制御ステップと
を有することを特徴とする異常時対処方法。
【請求項９】
前記制御ステップは、異常撮影の画像データを前記記録装置に記録させない場合、該異常撮影の画像データに対する画像処理および／または画像表示処理を行わせないことを特徴とする請求項７または請求項８記載の異常時対処方法。
【請求項１０】
前記異常検出ステップは、前記閃光装置によって閃光発光が行われなかった異常を検出することを特徴とする請求項７または請求項８記載の異常時対処方法。
【請求項１１】
前記異常検出ステップは、前記閃光装置による閃光発光の光量調節の異常を検出することを特徴とする請求項７または請求項８記載の異常時対処方法。
【請求項１２】
前記異常検出ステップは、前記閃光装置による閃光発光の下で得られた画像データにおける露出量の異常を検出することを特徴とする請求項７または請求項８記載の異常時対処方法。
【請求項１３】
被写体画像の画像データを記録装置に電子的に記録するとともに、被写体へ向けて閃光を発光可能な閃光装置を内蔵または外部接続された撮像装置に適用される異常時対処方法を、コンピュータに実行させるためのプログラムにおいて、
前記閃光装置による閃光発光によって撮影を行った時の撮影異常を検出する異常検出ステップと、
前記異常検出ステップにより撮影異常が検出された場合には、異常撮影の画像データを前記記録装置に記録させないようにする制御ステップと
を有することを特徴とするプログラム。
【請求項１４】
被写体画像の画像データを記録装置に電子的に記録するとともに、被写体へ向けて閃光を発光可能な閃光装置を内蔵または外部接続された撮像装置に適用される異常時対処方法を、コンピュータに実行させるためのプログラムにおいて、
前記閃光装置による閃光発光によって撮影を行った時の撮影異常を検出する異常検出ステップと、
画像データを前記記録装置に記録するか否かについての撮影者の指示を受け取る受取ステップと、
前記異常検出ステップにより撮影異常が検出された場合には、前記受取ステップによって受け取っている撮影者の指示に応じて、異常撮影の画像データを前記記録装置に記録させる、または記録させないようにする制御ステップと
を有することを特徴とするプログラム。
【発明の詳細な説明】
【技術分野】
【０００１】
本発明は、撮像装置、異常時対処方法、及びプログラムに関し、特に、被写体画像の画像データを記録装置に電子的に記録するとともに、被写体へ向けて閃光を発光可能な閃光装置を内蔵または外部接続された撮像装置、該撮像装置に適用される異常時対処方法、及び該異常時対処方法をコンピュータに実行させるためのプログラムに関する。
【背景技術】
【０００２】
従来のカメラにおいては、撮影時に何らかの異常が検出された場合に、撮影者にその旨を報知するように構成されたものがある。
【０００３】
例えば特許文献１に示されるフィルム撮影および電子撮像兼用カメラでは、フィルム露光部および電子撮像部が備えられ、それらのいずれか一方に異常があると判定された場合には異常警告が表示され、該一方の部分の作動が禁止されて、他方の部分のみで撮影が行われるようになっている。
【０００４】
また特許文献２に示される電子カメラでは、手ぶれ検出機能が備えられ、撮影時に所定レベル以上の手ぶれ振動が検出された場合には、その旨が報知されるとともに、撮像した画像データを記憶するか否かを撮影者によって指定可能になっている。
【特許文献１】特開２０００−１０５４１１号公報
【特許文献２】特開平１０−１７４０２７号公報
【発明の開示】
【発明が解決しようとする課題】
【０００５】
しかしながら、前述の特許文献１に示されるカメラにおいて、ストロボを使用した撮影時において何らかの異常があって所要の露光が得られない場合、撮影された画像は、撮影者の意図する画像ではなく、失敗した撮影画像が得られてしまう。そのような場合に、フィルム撮影部による撮影ではフィルムの無駄となってしまう。一方、電子撮像部による撮影では、失敗した撮影画像が記録媒体に記録されてしまい、記録媒体のメモリ領域が無駄に使用されてしまうという問題があった。
【０００６】
また、前述の特許文献２に示される電子カメラにおいても、ストロボを使用した撮影時において何らかの異常があって所要の露光が得られない場合、失敗した撮影画像が記録媒体に記録されてしまい、記録媒体のメモリ領域が無駄に使用されてしまうという問題があった。
【０００７】
本発明はこのような問題点に鑑みてなされたものであって、ストロボを使用した撮影時に異常が発生した場合に記録媒体のメモリ領域の無駄な使用を防止するようにした撮像装置、異常時対処方法、及びプログラムを提供することを目的とする。
【課題を解決するための手段】
【０００８】
上記目的を達成するために、請求項１記載の発明によれば、被写体画像の画像データを記録装置に電子的に記録するとともに、被写体へ向けて閃光を発光可能な閃光装置を内蔵または外部接続された撮像装置において、前記閃光装置による閃光発光によって撮影を行った時の撮影異常を検出する異常検出手段と、前記異常検出手段により撮影異常が検出された場合には、異常撮影の画像データを前記記録装置に記録させないようにする制御手段とを有することを特徴とする撮像装置が提供される。
【０００９】
また、請求項２記載の発明によれば、被写体画像の画像データを記録装置に電子的に記録するとともに、被写体へ向けて閃光を発光可能な閃光装置を内蔵または外部接続された撮像装置において、前記閃光装置による閃光発光によって撮影を行った時の撮影異常を検出する異常検出手段と、画像データを前記記録装置に記録するか否かについての撮影者の指示を受け取る受取手段と、前記異常検出手段により撮影異常が検出された場合には、前記受取手段によって受け取っている撮影者の指示に応じて、異常撮影の画像データを前記記録装置に記録させる、または記録させないようにする制御手段とを有することを特徴とする撮像装置が提供される。
【００１０】
また、請求項７記載の発明によれば、被写体画像の画像データを記録装置に電子的に記録するとともに、被写体へ向けて閃光を発光可能な閃光装置を内蔵または外部接続された撮像装置に適用される異常時対処方法において、前記閃光装置による閃光発光によって撮影を行った時の撮影異常を検出する異常検出ステップと、前記異常検出ステップにより撮影異常が検出された場合には、異常撮影の画像データを前記記録装置に記録させないようにする制御ステップとを有することを特徴とする異常時対処方法が提供される。
【００１１】
さらに、請求項８記載の発明によれば、被写体画像の画像データを記録装置に電子的に記録するとともに、被写体へ向けて閃光を発光可能な閃光装置を内蔵または外部接続された撮像装置に適用される異常時対処方法において、前記閃光装置による閃光発光によって撮影を行った時の撮影異常を検出する異常検出ステップと、画像データを前記記録装置に記録するか否かについての撮影者の指示を受け取る受取ステップと、前記異常検出ステップにより撮影異常が検出された場合には、前記受取ステップによって受け取っている撮影者の指示に応じて、異常撮影の画像データを前記記録装置に記録させる、または記録させないようにする制御ステップとを有することを特徴とする異常時対処方法が提供される。
【００１２】
さらに、上記異常時対処方法をコンピュータに実行させるためのプログラムが提供される。
【発明の効果】
【００１３】
本発明によれば、ストロボ発光不良などの撮影異常を検出した場合には、撮影された画像は撮影者の意図しない失敗画像と考えられるため、異常検出時の撮影画像を記録媒体に記録しないようにする。
【００１４】
これにより、記録媒体のメモリ容量を節約することが可能となる。
【００１５】
また異常検出時には撮影された画像をバッファメモリである画像データメモリに一時的に書き込むことも行なわずに撮影を終了させる。
【００１６】
これにより、メモリカードなどの記録媒体のメモリ容量を節約することができるだけでなく、画像処理や画像表示にかかる時間を無駄に待つことなく、次の撮影動作に移ることが可能となる。
【００１７】
さらに異常検出時の撮影画像を記録媒体に記録するか否かを撮影者に選択させることで、撮影者が必要としない画像は記録媒体に記録せずに、記録媒体のメモリ容量を節約することが可能となる。
【００１８】
また、異常検出時において、警告メッセージおよび記録選択メッセージの表示と同時に、撮影された画像が画像表示部に表示されるので、撮影者は、撮影画像を確認してから記録するか否かを選択することができる。
【発明を実施するための最良の形態】
【００１９】
以下、本発明を実施するための最良の形態について、図面を参照して説明する。
【００２０】
〔第１の実施の形態〕
図１は、本発明に係る第１の実施の形態における電子カメラシステムの構成を示すブロック図である。
【００２１】
図中１は、画像処理装置を備えた電子カメラである。この電子カメラ１には、外部ストロボ１００がインターフェース４８，１０２を介して着脱可能である。また、メモリカードやハードディスク等の記録媒体２００が、インターフェース７０，２０４を介して接続可能である。
【００２２】
電子カメラ１において、１０は撮影レンズ、１１は絞り、１２はシャッター、１４は光学像を電気信号に変換する、例えばＣＣＤ等の撮像素子、１６は撮像素子１４から出力されるアナログ信号をデジタル信号に変換するＡ／Ｄ変換器である。
【００２３】
１８はタイミング発生回路であり、撮像素子１４、Ａ／Ｄ変換器１６、Ｄ／Ａ変換器２６にクロック信号や制御信号を供給する。タイミング発生回路１８は、メモリ制御回路２２及びシステム制御回路５０により制御される。
【００２４】
２０は画像処理回路であり、Ａ／Ｄ変換器１６やメモリ制御回路２２から送られたデータに対して所定の画素補間処理や色変換処理を行う。
【００２５】
２２はメモリ制御回路であり、Ａ／Ｄ変換器１６、タイミング発生回路１８、画像処理回路２０、画像表示メモリ２４、Ｄ／Ａ変換器２６、画像データメモリ３０、圧縮・伸張回路３２を制御する。
【００２６】
Ａ／Ｄ変換器１６の出力データは、画像処理回路２０およびメモリ制御回路２２を介して、或いはメモリ制御回路２２を介して、画像表示メモリ２４或いは画像データメモリ３０に書き込まれる。
【００２７】
２４は画像表示メモリ、２６はＤ／Ａ変換器、２８はＴＦＴ型カラーＬＣＤ等から成る画像表示部であり、画像表示メモリ２４に書き込まれた表示用の画像データが、Ｄ／Ａ変換器２６を介して画像表示部２８により表示される。
【００２８】
３０は撮影した静止画像を一時的に格納するための画像データメモリであり、所定枚数の静止画像を格納するのに十分な記憶容量を備えている。また、画像データメモリ３０はシステム制御回路５０の作業領域としても使用することが可能である。
【００２９】
３２は画像データを圧縮・伸長する圧縮・伸張回路であり、画像データメモリ３０に格納された画像を読み込んで圧縮処理或いは伸長処理を行い、処理を終えたデータを画像データメモリ３０に書き込む。
【００３０】
３８は測光回路であり、撮影レンズ１０を通して入ってくる外光を測光して露出を決定する。
【００３１】
４０は絞り１１及びシャッター１２の動作を制御する露光制御部であり、測光結果に基づいて絞り及びシャッターを駆動する。
【００３２】
４２は撮影レンズ１０のフォーカシングを制御する測距制御部であり、複数の測距点における画像データを基に合焦を得られるように撮影レンズ１０を駆動する。
【００３３】
ここでは撮影レンズ１０をカメラと一体のものとして示しているが、撮影レンズを交換可能な構成にして、撮影レンズのカメラ本体への取付け部に設けたレンズ通信接点を介して、カメラ側にてレンズ駆動制御を行う構成のカメラにおいても、本発明を適用可能である。
【００３４】
４４は内蔵ストロボ４６を制御するストロボ制御部であり、ストロボ発光撮影時の異常を検出する異常検出部を備えている。なお、ストロボ制御部４４は外部ストロボ１００の動作制御も行う。
【００３５】
ここでストロボ制御部４４が備えている異常検出部によって検出されるストロボ発光撮影時の異常とは、ストロボ制御部４４によって指令されたにも拘らず内蔵ストロボ４６または外部ストロボ１００で発光が行われなかった異常、内蔵ストロボ４６または外部ストロボ１００の発光時において行われるストロボ制御部４４による調光などの制御が正常に行われなかった異常、露光制御部４０およびストロボ制御部４４によって行われた露出調整がアンダーまたはオーバーであった異常などを指す。
【００３６】
なお、本実施の形態において異常検出部はストロボ制御部４４に備えられているが、このような構成ではなく、異常検出部をストロボ制御部４４から独立した構成であってもよい。
【００３７】
５０は電子カメラ１全体を制御するシステム制御回路であり、内部にＲＯＭ、ＲＡＭ、Ａ／Ｄ変換器、Ｄ／Ａ変換器、時計機能を有するマイクロコンピュータから構成される。
【００３８】
５４は液晶表示装置、スピーカー等からなる表示部であり、システム制御回路５０でのプログラムの実行に応じて、文字、画像、音声等を用いて電子カメラ１の動作状態やメッセージ等を表示する。表示部５４は、電子カメラ１の操作部近辺の撮影者によって視認し易い位置に単数個所或いは複数個所設置され、例えばＬＣＤやＬＥＤ、発音素子等の組み合わせにより構成される。また、表示部５４は、その一部の機能が光学ファインダー８０内に設置される。
【００３９】
表示部５４の表示内容のうちＬＣＤ等に表示されるものとしては、単写／連写撮影表示、セルフタイマー表示、圧縮率表示、記録画素数表示、記録枚数表示、残撮影可能枚数表示、シャッタースピード表示、絞り値表示、露出補正表示、ストロボ表示、赤目緩和表示、マクロ撮影表示、ブザー設定表示、時計用電池残量表示、電池残量表示、エラー表示、複数桁の数字による情報表示、記録媒体２００の着脱状態表示、日付表示・時刻表示等がある。
【００４０】
また、表示部５４の表示内容のうち一部の情報は、画像表示部２８にも表示される。
【００４１】
５６は電気的に消去・記録可能な不揮発性メモリであり、例えばＥＥＰＲＯＭ等で構成される。
【００４２】
６０、６２、６４及び６６は、システム制御回路５０に対して各種の動作指示を入力するための各種操作部であり、スイッチ、ダイアル、タッチパネル、視線検知によるポインティング、音声認識装置等や、それらの組み合わせで構成される。
【００４３】
６０はモードダイアルであり、電源オフ、自動撮影モード（全自動、ポートレート、風景、クローズアップ、スポーツ、夜景、ストロボ発光禁止など）、応用撮影モード（Ｐ＝プログラムＡＥ、Ｔｖ＝シャッター優先ＡＥ、Ａｖ＝絞り優先ＡＥ、Ｍ＝マニュアル露出、Ａ−ＤＥＰ＝自動深度優先ＡＥなど）、パノラマ撮影モード、再生モード、マルチ画面再生・消去モード等の各機能モードを切り替え設定するためのものである。
【００４４】
６２はシャッタースイッチＳＷ１であり、不図示のシャッターボタンの半押し状態でＯＮとなり、ＡＦ（オートフォーカス）処理、ＡＥ（自動露出）処理等の動作開始を指示する。
【００４５】
６４はシャッタースイッチＳＷ２であり、不図示のシャッターボタンの全押し状態でＯＮとなり、絞り１１およびシャッター１２を制御して撮像素子１４に光学像を取り込ませる露光処理やＥＦ（ストロボ発光）処理等の動作開始を指示する。
【００４６】
６６は各種ボタンやタッチパネル等からなる操作部であり、メニューボタン、セットボタン、マクロボタン、マルチ画面再生改ページボタン、ストロボ設定ボタン、単写／連写／セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン等を含む。
【００４７】
７０は記録媒体２００と接続を行うインターフェースであり、記録媒体２００のメモリカード規格に準拠したものが用いられる。
【００４８】
７２は記録媒体着脱検知部であり、電子カメラ１のインターフェース７０に記録媒体２００が装着されているか否かを検知する。
【００４９】
８０は光学ファインダーであり、ファインダー内部には、表示部５４の一部の機能、例えば、合焦表示、手振れ警告表示、ストロボ充電表示、シャッタースピード表示、絞り値表示、露出補正表示などを行う表示部分が設けられる。
【００５０】
２００はメモリカードやハードディスク等の記録媒体であり、半導体メモリや磁気ディスク等から構成される記録部２０２と、電子カメラ１とのインターフェース２０４とを備えている。
【００５１】
次に、こうした構成の電子カメラシステムの撮影時の動作について、図２を参照して説明する。
【００５２】
図２は、第１の実施の形態における電子カメラシステムで実行される撮影処理の手順を示すフローチャートである。
【００５３】
まずシャッタースイッチＳＷ１がＯＮしているか否かを判別し（＃４０１）、ＯＮしていれば測光回路３８および測距制御部４２によって測光および測距を行い、撮影レンズ１０を駆動させてＡＦ制御を行う（＃４０２）。ＯＮしていない場合はステップ＃４０１に戻る。
【００５４】
次にシャッタースイッチＳＷ２がＯＮしているか否かを判別し（＃４０３）、ＯＮしていればステップ＃４０４へ進み、ＯＮしていない場合はステップ＃４０３に戻る。ステップ＃４０４では、ステップ＃４０２で得られた測光結果に基づいて露光制御部４０によって絞り１１およびシャッター１２を駆動させて露光動作を開始させ、タイミング発生回路１８により出力されるタイミング信号に基づいて撮像素子１４の露光および読み出しのタイミングを制御して撮像素子１４に撮像信号を取り込む（＃４０４）。同時に必要に応じてストロボ制御部４４によって内蔵ストロボ４６または外部ストロボ１００を制御し発光を行わせる（＃４０５）。
【００５５】
ステップ＃４０４において撮像素子１４に取り込まれた撮像信号は、Ａ／Ｄ変換器１６によってアナログ信号からデジタル信号に変換され、さらに画像処理回路２０によって画素補間処理や色変換処理がなされて画像データが生成される。生成された画像データは、メモリ制御回路２２を介して画像表示メモリ２４および画像データメモリ３０に書き込まれる（＃４０６）。
【００５６】
画像表示メモリ２４に書き込まれた表示用の画像データは、Ｄ／Ａ変換器２６を介して画像表示部２８に表示される（＃４０７）。
【００５７】
次に、ステップ＃４０５においてなされたストロボ撮影に異常があったか否かを、ストロボ制御部４４内部に含まれる異常検出部によって判定する（＃４０８）。この結果、異常が検出された場合には、異常が発生したことを撮影者に知らせる為の警告メッセージを画像表示部２８または表示部５４に表示させ（＃４１１）、本撮影処理を終了する。
【００５８】
ステップ＃４０８において異常が検出されなかった場合には、画像データメモリ３０に格納された画像データを読み出して圧縮・伸張回路３２によって圧縮処理を行い（＃４０９）、この圧縮された画像データを記録媒体２００の記録部２０２に記録して（＃４１０）、本撮影処理を終了する。
【００５９】
以上が本実施の形態における電子カメラシステムの撮影時の動作であるが、ステップ＃４０８においてストロボ発光不良などのストロボを用いた撮影の異常を検出された場合には、撮影された画像は撮影者の意図しない失敗画像と考えられるので、前述のようにステップ＃４１１へ進んで警告メッセージを表示するだけで、異常検出時の撮影画像を記録媒体２００に記録しないようにする。これによって、記録媒体１００のメモリ容量を節約することが可能となる。
【００６０】
なお、上記撮影動作において、異常検出部によるストロボ撮影の異常検出タイミングは、図３に示すようなタイミングで行なってもよい。
【００６１】
図３は、第１の実施の形態における電子カメラシステムで実行される撮影処理の別の手順を示すフローチャートである。
【００６２】
図３において、ステップ＃５０１からステップ＃５０５までの処理は、前述の図２におけるステップ＃４０１からステップ＃４０５までの処理と同じであるので、説明を省略する。
【００６３】
ステップ＃５０６では、ステップ＃５０５においてなされたストロボ撮影に異常があったか否かを、ストロボ制御部４４内部に含まれる異常検出部によって判定する。異常が検出された場合には、異常が発生したことを撮影者に知らせる為の警告メッセージを画像表示部２８または表示部５４に表示させ（＃５１１）、本撮影処理を終了する。
【００６４】
ステップ＃５０６において異常が検出されなかった場合には、ステップ＃５０４において、撮像素子１４に取り込まれた撮像信号をＡ／Ｄ変換器１６によってアナログ信号からデジタル信号に変換し、さらに画像処理回路２０によって画素補間処理や色変換処理がなされ、画像データが生成される。生成された画像データは、メモリ制御回路２２を介して画像表示メモリ２４および画像データメモリ３０に書き込まれる（＃５０７）。
【００６５】
画像表示メモリ２４に書き込まれた表示用の画像データは、Ｄ／Ａ変換器２６を介して画像表示部２８に表示され（＃５０８）、画像データメモリ３０に格納された画像データを読み出して圧縮・伸張回路３２によって圧縮処理を行い（＃５０９）、この圧縮された画像データを記録媒体２００の記録部２０２に記録して（＃５１０）、本撮影処理を終了する。
【００６６】
このような図３に示すタイミングで異常検出を行なうことによって、異常検出時に、撮影された画像が、一時的なバッファメモリである画像データメモリ３０に書き込まれることなく撮影処理が終了するので、記録媒体２００のメモリ容量を節約することができるだけでなく、画像処理や画像表示に要する時間を無駄に待つことなく次の撮影動作に移ることが可能となる。
【００６７】
〔第２の実施の形態〕
次に本発明の第２の実施の形態を説明する。
【００６８】
第２の実施の形態の構成は、基本的に第１の実施の形態の構成と同じであるので、第２の実施の形態の説明においては、第１の実施の形態の構成を流用し、異なる構成部分だけを説明する。
【００６９】
第２の実施の形態では、ストロボ発光撮影時に撮影の異常を検出した場合に、撮影画像を記録するか否かを撮影者が選択することができるようにし、その選択ための選択操作部を操作部６６に設けるようにする。
【００７０】
図４は、第２の実施の形態における電子カメラシステムで実行される撮影処理の手順を示すフローチャートである。
【００７１】
まずシャッタースイッチＳＷ１がＯＮしているか否かを判別し（＃６０１）、ＯＮしていれば測光回路３８および測距制御部４２によって測光および測距を行い、撮影レンズ１０を駆動させてＡＦ制御を行う（＃６０２）。ＯＮしていない場合はステップ＃６０１に戻る。
【００７２】
次にシャッタースイッチＳＷ２がＯＮしているか否かを判別し（＃６０３）、ＯＮしていればステップ＃６０４へ進み、ＯＮしていない場合はステップ＃６０３に戻る。
【００７３】
ステップ＃６０４では、ステップ＃６０２で得られた測光結果に基づいて露光制御部４０によって絞り１１およびシャッター１２を駆動させて露光動作を開始させ、タイミング発生回路１８により出力されるタイミング信号に基づいて撮像素子１４の露光および読み出しのタイミングを制御して撮像素子１４に撮像信号を取り込む（＃６０４）。同時に、必要に応じて、ストロボ制御部４４によって内蔵ストロボ４６または外部ストロボ１００を制御し発光を行わせる（＃６０５）。
【００７４】
ステップ＃６０４において、撮像素子１４に取り込まれた撮像信号が、Ａ／Ｄ変換器１６によってアナログ信号からデジタル信号に変換され、さらに画像処理回路２０によって画素補間処理や色変換処理がなされ、画像データが生成される。生成された画像データはメモリ制御回路２２を介して画像表示メモリ２４および画像データメモリ３０に書き込まれる（＃６０６）。
【００７５】
画像表示メモリ２４に書き込まれた表示用の画像データは、Ｄ／Ａ変換器２６を介して画像表示部２８に表示される（＃６０７）。
【００７６】
次に、ステップ＃６０５においてなされたストロボ撮影に異常があったか否かをストロボ制御部４４内部に含まれる異常検出部によって判定し（＃６０８）、異常が検出されなかった場合には、画像データメモリ３０に格納された画像データを読み出して圧縮・伸張回路３２によって圧縮処理を行い（＃６０９）、この圧縮された画像データを記録媒体２００の記録部２０２に記録して（＃６１０）、本撮影処理を終了する。
【００７７】
ステップ＃６０８において異常が検出された場合には、異常が発生したことを撮影者に知らせる為の警告メッセージを画像表示部２８に表示させるとともに、撮影画像を記録媒体２００に記録するか否かの選択を撮影者に求める記録選択メッセージを画像表示部２８に表示させる（＃６１１）。ステップ＃６１１において警告メッセージや記録選択メッセージを画像表示部２８に表示させる際には、ステップ＃６０７によって画像表示部２８に表示されている表示用の画像データは表示したまま、その表示画像の上に上記メッセージを重畳表示させるようにする。
【００７８】
次に、記録選択メッセージをみた撮影者が、操作部６６に含まれる選択操作部を操作して、画像記録することを選択したか否かを判別する（＃６１２）。その結果、「記録しない」が選択された場合にはそのまま本撮影処理を終了し、「記録する」が選択された場合にはステップ＃６０９に進む。
【００７９】
以上のように第２の実施の形態では、ストロボ発光不良などのストロボ撮影の異常を検出した場合に、撮影された画像が撮影者の意図しない失敗画像と考えられるので、異常検出時の撮影画像を記録媒体２００に記録するか否かを撮影者に選択させるようにして、撮影者が必要としない画像を記録媒体２００に記録しないようにする。これによって、記録媒体２００のメモリ容量を節約することが可能となる。また、異常検出時に、警告メッセージおよび記録選択メッセージとともに、撮影された画像が一旦画像表示部２８に表示されるので、撮影者は撮影画像を確認してから記録するか否かを選択することができる。
【００８０】
なお、本発明の目的は、前述した各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００８１】
この場合、記憶媒体から読み出されたプログラムコード自体が本発明の新規な機能を実現することになり、そのプログラムコードを記憶した記憶媒体およびプログラムは本発明を構成することになる。
【００８２】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００８３】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００８４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【図面の簡単な説明】
【００８５】
【図１】本発明に係る第１の実施の形態における電子カメラシステムの構成を示すブロック図である。
【図２】第１の実施の形態における電子カメラシステムで実行される撮影処理の手順を示すフローチャートである。
【図３】第１の実施の形態における電子カメラシステムで実行される撮影処理の別の手順を示すフローチャートである。
【図４】第２の実施の形態における電子カメラシステムで実行される撮影処理の手順を示すフローチャートである。
【符号の説明】
【００８６】
１    電子カメラ（撮像装置）
１０    撮影レンズ
１１    絞り
１２    シャッター
１４    撮像素子
１６    Ａ／Ｄ変換器
１８    タイミング発生回路
２０    画像処理回路
２２    メモリ制御回路
２４    画像表示メモリ（記録装置）
２６    Ｄ／Ａ変換器
２８    画像表示部
３０    画像データメモリ（記録装置）
３２    圧縮・伸張回路
３８    測光回路
４０    露光制御部
４２    測距制御部
４４    ストロボ制御部（異常検出部を含む）
４６    内蔵ストロボ（閃光装置）
４８    インターフェース
５０    システム制御回路（異常検出手段、制御手段）
５４    表示部
５６    不揮発性メモリ
６０    モードダイアル
６２    シャッタースイッチＳＷ１
６４    シャッタースイッチＳＷ２
６６    操作部（選択操作部を含む。受取手段）
７０    インターフェース
７２    記録媒体着脱検知部
８０    光学ファインダー
１００    外部ストロボ（閃光装置）
１０２    インターフェース
２００    記録媒体（記録装置）
２０２    記録部
２０４    インターフェース
【図１】
2005142828.tif 000003
【図２】
2005142828.tif 000004
【図３】
2005142828.tif 000005
【図４】
2005142828.tif 000006